(57)【要約】  光エミッタの特性を特徴づけるための相対的光束センサ１２２及び方法が提供される。相対的光束センサ１２２は、カラーポイントセンサ１０８とセンサコントローラ１１８とを有する。カラーポイントセンサ１０８は、第１の色の光を放射するための第１の光エミッタ１０２と、第１の色と異なる第２の色の光を放射するための第２の光エミッタ１１４とを有する光源１０１により放射される光の色空間内のカラーポイントを測定する。光源１０１は、第１の色の光及び第２の色の光の混合である制御可能な色の光を放射するように設けられる。センサコントローラ１１８は、測定信号を受信するためカラーポイントセンサ１０８に結合され、ｉ）調光ファクタＤ１及び調光ファクタＤ２の少なくとも一つが０ではなく、それぞれ第１の光エミッタ１０２の最大光束に対する割合及び第２の光エミッタ１１４の最大光束に対する割合を示している調光ファクタＤ１及び調光ファクタＤ２を有する第１の信号を光源１０１へ供給し、光源１０１が第１の信号に従って光を放射するとき、第１のカラーポイントを表わす測定信号を受信し、ｉｉ）調光ファクタＤ４及び調光ファクタＤ５両方とも０ではなく、それぞれ第１の光エミッタ１０２の最大光束に対する割合及び第２の光エミッタ１１４の最大光束に対する割合を示している調光ファクタＤ４及び調光ファクタＤ５を有する第２の信号を光源１０１へ供給し、光源１０１が第２の信号に従って光を放射するとき、第２のカラーポイントを表わす測定信号を受信し、ｉｉｉ）第１のカラーポイント、第２のカラーポイント、調光ファクタＤ１、Ｄ２、Ｄ４及びＤ５に基づいて第１の光エミッタ１０２の最大光束と第２の光エミッタ１１４の最大光束との間の比率を色空間のモデル内で計算するように設けられる。
2013536406.tif 000002
【特許請求の範囲】
【請求項１】
第１の色の光を放射するための第１の光エミッタ、及び第１の色と異なる第２の色の光を放射するための第２の光エミッタを有する光源であって、第１の色の光と第２の色の光との混合である制御可能な色の光を放射する前記光源により放射される光の色空間のカラーポイントを測定するためのカラーポイントセンサと、測定信号を受信するため前記カラーポイントセンサに結合されるセンサコントローラであって、ｉ）調光ファクタＤ１及び調光ファクタＤ２の少なくとも一つが０ではなく、それぞれ第１の光エミッタの最大光束に対する割合及び第２の光エミッタの最大光束に対する割合を示している調光ファクタＤ１及び調光ファクタＤ２を有する第１の信号を前記光源へ供給し、前記光源が第１の信号に従って光を放射するとき、第１のカラーポイントを表わす測定信号を受信し、ｉｉ）調光ファクタＤ４及び調光ファクタＤ５両方とも０ではなく、それぞれ第１の光エミッタの最大光束に対する割合及び第２の光エミッタの最大光束に対する割合を示している調光ファクタＤ４及び調光ファクタＤ５を有する第２の信号を前記光源へ供給し、前記光源が第２の信号に従って光を放射するとき、第２のカラーポイントを表わす測定信号を受信し、ｉｉｉ）第１のカラーポイント、第２のカラーポイント、調光ファクタＤ１、Ｄ２、Ｄ４及びＤ５に基づいて第１の光エミッタの最大光束と第２の光エミッタの最大光束との間の比率を色空間のモデル内で計算する前記センサコントローラとを有する、相対的光束センサ。
【請求項２】
前記センサコントローラは、それぞれ第１の光エミッタの最大光束に対する割合及び第２の光エミッタの最大光束に対する割合を示す０％に実質的に等しい調光ファクタＤａ及び１００％に実質的に等しい調光ファクタＤｂを有する第３の信号を前記光源へ供給し、前記光源が第３の信号に従って光を放射するとき、第３のカラーポイントを表わす測定信号を受信し、調光ファクタＤ１は１００％に実質的に等しく、調光ファクタＤ２は０％に実質的に等しく、第１の光エミッタの最大光束と第２の光エミッタの最大光束との間の比率を計算することは、第３のカラーポイント、調光ファクタＤａ及びＤｂに更に基づく、請求項１に記載の相対的光束センサ。
【請求項３】
調光ファクタＤ４は１００％に実質的に等しく、調光ファクタＤ５は１００％に実質的に等しい、請求項２に記載の相対的光束センサ。
【請求項４】
第１のカラーポイント、第２のカラーポイント及び第３のカラーポイントは、ＣＩＥｘｙｚ色空間モデルの色空間内のそれぞれの座標（ｘ１、ｙ１）、（ｘ１２，ｙ１２）及び（ｘ２、ｙ２）により表され、第１の光エミッタの最大光束Ｙ１と第２の光エミッタのＹ２の最大光束との間の比率が、
2013536406.tif 000021
により計算される、請求項３に記載の相対的光束センサ。
【請求項５】
第１の光エミッタの最大光束と第２の光エミッタの最大光束との間の比率の計算が、第１の光エミッタのカラーポイントを計算することと、第２の光エミッタのカラーポイントを計算することとを有する、請求項１に記載の相対的光束センサ。
【請求項６】
前記光源は、更に、第１の色と異なり且つ第２の色と異なる第３の色を放射する第３の光エミッタを有し、第１の信号は、更に、第３の光エミッタの最大光束に対する割合を示す調光ファクタＤ３を有し、第２の信号は、更に、第３の光エミッタの最大光束に対する割合を示す調光ファクタＤ６を有し、前記センサコントローラは、それぞれ第１の光エミッタの最大光束に対する割合、第２の光エミッタの最大光束に対する割合及び第３の光エミッタの最大光束に対する割合を示している調光ファクタＤ７、調光ファクタＤ８及び調光ファクタＤ９を有する第４の信号を前記光源へ供給し、前記光源が第４の信号に従って光を放射するとき、第４のカラーポイントを表わす測定信号を受信し、第１の光エミッタの最大光束と第２の光エミッタの最大光束との間の比率を計算することは、調光ファクタＤ３、Ｄ６、Ｄ７、Ｄ８及びＤ９並びに第４のカラーポイントに更に基づく、請求項１に記載の相対的光束センサ。
【請求項７】
前記センサコントローラは、それぞれ第１の光エミッタの最大光束に対する割合、第２の光エミッタの最大光束に対する割合及び第３の光エミッタの最大光束に対する割合を示す０％に実質的に等しい調光ファクタＤｃ、１００％に実質的に等しい調光ファクタＤｄ及び０％に実質的に等しい調光ファクタＤｅを有する第５の信号を前記光源へ供給し、前記光源が第５の信号に従って光を放射するとき、第５のカラーポイントを表わす測定信号を受信し、調光ファクタＤ１、Ｄ９は１００％に実質的に等しく、調光ファクタＤ２、Ｄ３、Ｄ７、Ｄ８は０％に実質的に等しく、第１の光エミッタの最大光束と第２の光エミッタの最大光束との間の比率を計算することは、第５のカラーポイント、調光ファクタＤｃ、Ｄｄ及びＤｅに更に基づく、請求項６に記載の相対的光束センサ。
【請求項８】
調光ファクタＤ３、Ｄ４及びＤ５は、１００％に実質的に等しい、請求項６に記載の相対的光束センサ。
【請求項９】
前記センサコントローラは、更に、最小調光ファクタと最大調光ファクタとの間で複数の調光ファクタを定め、定められた複数の調光ファクタの各々に対して、第２の信号を前記光源へ供給することと、第２のカラーポイントを表わす測定信号を受信することと、第１の光エミッタの最大光束と第２の光エミッタの調光された光束との間の調光比率を計算することとを繰り返し実施し、ここで、調光ファクタＤ５は、定められた複数の調光ファクタを通じて繰り返し、定められた複数の調光ファクタ、第１の光エミッタの最大光束と第２の光エミッタの調光された光束との間の複数の計算された調光比率、及び第１の光エミッタの最大光束と第２の光エミッタの最大光束との間の計算された比率とに基づいて、第２の光エミッタの調光曲線のポイントを計算する、請求項３に記載の相対的光束センサ。
【請求項１０】
前記センサコントローラは、調光曲線の計算されたポイントに基づいて、第２の光エミッタの調光曲線を再構成する、請求項９に記載の相対的光束センサ。
【請求項１１】
請求項１、２又は３に記載の相対的光束センサと、i)第１のカラーポイント、第２のカラーポイント、及び第１の光エミッタの最大光束と第２の光エミッタの最大光束との間の比率を受信し、ii)色調整可能なランプにより放射される色を示すユーザー入力を受信し、iii)前記光源が第６の信号による光を放射するとき、前記ユーザー入力により示される放射される色を得るために、第１のカラーポイント、第２のカラーポイント、及び第１の光エミッタの最大光束と第２の光エミッタの最大光束との間の比率に基づいて、それぞれ第１の光エミッタの最大光束に対する割合及び第２の光エミッタの最大光束に対する割合を示す調光ファクタＤ１０及び調光ファクタＤ１１を有する第６の信号を生成し、iv)色調整可能なランプの光源へ第６の信号を供給する光源コントローラとを有する、色調整可能なランプのための制御装置。
【請求項１２】
第１の色の光を放射するための第１の光エミッタと、第１の色と異なる第２の色の光を放射するための第２の光エミッタとを有し、それぞれの光エミッタの最大光束に対する割合を示す調光ファクタを有する受信信号に従って、光を放射する光源と、請求項１１に記載の色調整可能なランプのための制御装置とを有する、色調整可能なランプ。
【請求項１３】
請求項１２に記載の色調整可能なランプを有する、照明器具。
【請求項１４】
第１の色の光を放射するための第１の光エミッタ及び第１の色と異なる第２の色の光を放射するための第２の光エミッタを有し、第１の色の光と第２の色の光との混合である制御可能な色の光を放射する光源の相対的光束を特徴づける方法であって、調光ファクタＤ１及び調光ファクタＤ２の少なくとも一つが０ではなく、それぞれ第１の光エミッタの最大光束に対する割合及び第２の光エミッタの最大光束に対する割合を示している調光ファクタＤ１及び調光ファクタＤ２を有する第１の信号を前記光源へ供給し、前記光源が第１の信号に従って光を放射するとき、色空間の第１のカラーポイントを表わす測定信号を受信するステップと、調光ファクタＤ４及び調光ファクタＤ５両方とも０ではなく、それぞれ第１の光エミッタの最大光束に対する割合及び第２の光エミッタの最大光束に対する割合を示している調光ファクタＤ４及び調光ファクタＤ５を有する第２の信号を前記光源へ供給し、前記光源が第２の信号に従って光を放射するとき、色空間の第２のカラーポイントを表わす測定信号を受信するステップと、第１のカラーポイント、第２のカラーポイント、調光ファクタＤ１、Ｄ２、Ｄ４及びＤ５に基づいて第１の光エミッタの最大光束と第２の光エミッタの最大光束との間の比率を色空間のモデル内で計算するステップとを有する、方法。
【請求項１５】
プロセッサシステムに請求項１４に記載の方法を実施させるための命令を有する、コンピュータプログラム。
【発明の詳細な説明】
【技術分野】
【０００１】
本発明は光束センサの分野に関する。
【背景技術】
【０００２】
色調整可能なランプにおいて、色は、各々異なる色の光を放射する少なくとも２つの光エミッタの光を混合することにより作られる。第１の光エミッタは、例えば、色空間の第１のカラーポイント（ｘ１、ｙ１）により定められる第１の色の光を放射する。第２の光エミッタは、例えば、色空間の第２のカラーポイント（ｘ２、ｙ２）により定められる第２の色の光を放射する。特定の量の第２の色の光の放射と関連する特定の量の第１の色の光の放射によって、第３のカラーポイント（ｘ１２、ｙ１２）により定められる特定の混合色が放射され、これは第１のカラーポイント及び第２のカラーポイントを通るライン上の第１のカラーポイントと第２のカラーポイントとの間に位置される。第１の光エミッタにより放射される光の量と第２の光エミッタにより放射される光の量との間の比率を正確に制御することにより、第１のカラーポイント及び第２のカラーポイントを通るライン上の第１のカラーポイントと第２のカラーポイントとの間の全ての色が作られる。例えば、第１の光エミッタが第２の光エミッタより大幅に多くの光を放射する場合、第３のカラーポイントは、第１のカラーポイント及び第２のカラーポイントを通るライン上の第１のカラーポイントの近くに相対的に位置される。色空間は、異なる色が色空間の特定の位置で見つかる抽象的な空間である。色空間は、数学的色空間モデルに基づき、これは波長のスペクトルの物理的パラメータと色空間の色の座標との間の関係を提供する。色空間モデルのこれらの関係は、特定色が放射されるように色調整可能なランプのコントローラにより用いられる。良く知られた色空間モデルは、照明の国際委員会により作成されたＣＩＥＸＹＺ色空間である。最初に規定されたＣＩＥＸＹＺ色空間は、１９３１年からである。このモデルは、人間の目による色の知覚に大部分基づく。
【０００３】
しばしば、色調整可能なランプは、各々異なる色の光を放射する３つの光エミッタを有する。斯様な色調整可能なランプは、３つの光エミッタの各光エミッタのカラーポイントにより規定された色空間の三角形に位置される色の光を放射できる。
【０００４】
所望の色を定めるユーザー入力に応じて、色調整可能なランプのコントローラは、調整可能なランプの個々の光エミッタが、どの強度レベルでユーザー入力に従って光を作るために、光を放射しなければならないかを計算する。斯様なコントローラは知られていて、この計算は色空間の数学的表現に基づく。コントローラは、確実に光エミッタを制御できるように色調整可能なランプの光エミッタのパラメータを受信しなければならない。これらのパラメータは、各光エミッタに対する、光エミッタが光を放射するカラーポイントと、光エミッタが最大光強度を放射するように制御されるときの光エミッタの光束とである。光エミッタ当たりのパラメータは、しばしば３タプル（ｘ、ｙ、Ｙ）により示され、（ｘ、ｙ）は光エミッタにより放射される光のカラーポイントであり、Ｙは最大光強度を放射するように制御されるときの光エミッタの光束である。光エミッタにより受け取られる最大出力として製造業者により特定されるパワーの量を光エミッタが受信するとき、光エミッタは最大光強度で放射するように制御される点に留意されたい。
【０００５】
色調整可能なランプがより正確に制御されなければならない場合、特にランプが比較的低い光強度を放射する間、色調整可能なランプの放射された色が正確に制御されなければならないとき、光エミッタの各光エミッタのより多くのパラメータが知られていなければならない。光エミッタ当たりの調光曲線は、好ましくはコントローラにより知られていなければならない。調光曲線は、光エミッタへ供給される電気的信号、例えば、電圧、電流又は電力の特定の量と、しばしば放射された光の束として表される放射された光の量との間の関係を表す。コントローラが調光曲線と光エミッタの各光エミッタのカラーポイントとを知っている場合、コントローラは、正確に制御された色の光が最大強度より低い光強度で放射されるように、色調整可能な光を制御できる。
【０００６】
光エミッタの製造業者により供給されるような、光エミッタの製造仕様は、例えば、色調整可能なランプのコントローラにより用いられる。他の例では、一群の光エミッタのサンプルが分析され、測定の結果が、光エミッタの使用されるパラメータになる。他の例では、光エミッタの各光エミッタは、光エミッタが色調整可能なランプにおいて組み込まれる前に、個別に分析される。しかしながら、光エミッタの実際の特性は、コントローラにより用いられる特性と異なっているかもしれない。例えば、光エミッタは、製造仕様から逸脱しているか、特性が測定されたサンプルの光エミッタから逸脱しているか、又はドリフト及び劣化のため時間とともに逸脱している。
【０００７】
刊行された米国特許出願公開公報ＵＳ２００８／０２２５５２０Ａ１は、動作上の限界を定める方法を開示し、異なる色の光を個別に放射する少なくとも３つの光源を有する、照明システム及び照明システムの制御を開示する。照明システムの光源の特性の決定は、調整された光強度センサで、一連の最大達成可能な光強度を測定することに基づく。これらの測定は、特に、光源の１つだけがスイッチオンされるとき最大達成可能な光強度と、光源の２つがスイッチオンされるとき最大達成可能な光強度と、３つの光源がスイッチオンされるとき最大達成可能な光強度とを有する。測定された最大達成可能な光強度は、照明システムにより放射される色を表している最大３次元色域を定める。光源は、球体の１／２の形状を持つ光キャビティに光を放射するＬＥＤである。光キャビティの内部表面は、拡散的で高い反射性である。光キャビティは、光が照明システムの周囲に放射される開口部を持つ。開口部の近くでセンサは、放射された光強度を測定する。光キャビティのボリュームは、ＬＥＤの組合せの放射された光強度を正確に測定するために必要とされる集積タイプである。
【０００８】
引用された特許出願公報の調整された光強度センサは、システムの比較的高価な部品である。更に、正確に最大光強度を測定するために、複数の光エミッタからの光は、いわゆる集積球又は他の集積形状内に放射されなければならず、これは、複数の光エミッタを有する光源の可能なデザインを制限する。引用された特許出願公報において、１／２の球体の内部が、開口部を通って周囲に光を放射する集積空間として使われる。よって、半分の球体のサイズのため、比較的大きな照明システムが得られる。従って、照明システムの光エミッタを特徴づけるために用いられる引用された特許出願公報の方法及びシステムは、あまりに高価である。
【発明の概要】
【発明が解決しようとする課題】
【０００９】
本発明の目的は、既知のシステムより高価でない光源の光エミッタを特徴づけるための方法及び装置を提供することである。
【課題を解決するための手段】
【００１０】
本発明の第１の態様は、請求項１に記載の相対的光束センサを供給する。本発明の第２の態様は、請求項１１に記載の色調整可能なランプ制御装置を供給する。本発明の第３の態様は、請求項１２に記載の色調整可能なランプを供給する。本発明の第４の態様は、請求項１３に記載の照明器具を供給する。本発明の第５の態様は、請求項１４に記載の相対的光束を特徴づける方法を供給する。本発明の第６の態様は、請求項１５に記載のコンピュータプログラムを供給する。有利な実施例は、従属請求項で定められる。
【００１１】
本発明の第１の態様による光束センサは、カラーポイントセンサと、センサコントローラと、出力手段とを有する。カラーポイントセンサは、第１の光エミッタ及び第２の光エミッタを有する光源により放射される光の色空間のカラーポイントを測定するために配置される。第１の光エミッタは、第１の色の光を放射する。第２の光エミッタは、第１の色と異なる第２の色の光を放射する。光源は、第１の色の光及び第２の色の光の混合である制御可能な色の光を放射するように設けられる。センサコントローラは、測定信号を受信するためのカラーポイントセンサに結合される。センサコントローラは、ｉ）調光ファクタＤ１及び調光ファクタＤ２の少なくとも一つが０ではなく、それぞれ第１の光エミッタの最大光束に対する割合及び第２の光エミッタの最大光束に対する割合を示している調光ファクタＤ１及び調光ファクタＤ２を有する第１の信号を前記光源へ供給し、前記光源が第１の信号に従って光を放射するとき、第１のカラーポイントを表わす測定信号を受信し、ｉｉ）調光ファクタＤ４及び調光ファクタＤ５両方とも０ではなく、それぞれ第１の光エミッタの最大光束に対する割合及び第２の光エミッタの最大光束に対する割合を示している調光ファクタＤ４及び調光ファクタＤ５を有する第２の信号を前記光源へ供給し、前記光源が第２の信号に従って光を放射するとき、第２のカラーポイントを表わす測定信号を受信し、ｉｉｉ）第１のカラーポイント、第２のカラーポイント、調光ファクタＤ１、Ｄ２、Ｄ４及びＤ５に基づいて第１の光エミッタの最大光束と第２の光エミッタの最大光束との間の比率を色空間のモデル内で計算するように設けられる。
【００１２】
第１の色の特定の量の光を第２の色の特定の量の光と混合するとき、良好に規定された第３の色が得られる。色空間のモデルの関係は、第３の色のカラーポイントを計算するための関係を提供する。本発明の第１の態様による相対的光束センサは、光源が第１の色の光及び第２の色の光の異なる混合を放射するとき２つのカラーポイントを測定する。測定されたカラーポイント及び調光ファクタは、色空間のモデルの関係に基づいて、第１の光エミッタにより放射される最大光強度と第２の光エミッタにより放射される最大光強度との間の比率を計算するのに十分な情報を供給する。
【００１３】
発明者は、色調整可能なランプのコントローラが個々の光エミッタに対する最大光束出力を必ずしも正確に知る必要はないが、コントローラは光エミッタの２つの最大光束間の比率を知るべきであることに気が付いた。色調整可能なランプが第２の色の特定の量の光と関連して第１の色の特定の量の光を放射するために制御されるとき、良好に規定された色が色調整可能なランプにより放射されるので、よって、光エミッタの最大光束間の比率を知っていることで充分である。更に、コントローラは、最小と最大との間で変化する値を持つ信号を生成するが、特定の光量と最小値及び最大値との正確な整合はコントローラにより知られていない。色調整可能なランプの光源が最大値を有する信号を受信するとき、光エミッタが最大強度で放射することが知られているだけであり、光源が最小値を有す信号を受信するとき光エミッタが光を放射しないことが知られているだけである。よって、コントローラは、正規化された値を持つ信号を生成し、従って、光エミッタにより放射される光束の正確な値を知ることは必要でない。光エミッタの最大光束間の比率を知ることにより、特定の放射される色を得るために第２の光エミッタにより放射される光の量と関連して第１の光エミッタにより放射される光の量を制御することが可能である。
【００１４】
よって、相対的光束センサは、色調整可能なランプにより放射される色を正確に制御するために色調整可能なランプの制御装置により用いられる光源の光エミッタの特性を決定できる。
【００１５】
相対的光束センサは、測定を実施するためのカラーポイントセンサだけを有する。カラーポイントセンサは、比較的安価なハードウェアである一方、光の正確な光束を測定する光束センサは、より高価である。更に、放射された光のカラーポイントを測定することは、光源により放射される光の束のどこかにセンサを置くことによりなされ、全光束の測定を実施するための集積空間の使用を必要とせず、これは光源のコストを低減する。よって、相対的光束センサは、比較的低コストで光源の光エミッタについての信頼性が高い情報を得ることができる。
【００１６】
相対的光束センサは、光源に関して空間的に離隔されていてもよく、光源内に集積される必要がない。唯一の要求は、光源が、第１の光エミッタ及び第２の光エミッタの光放射をそれぞれ制御するために、第１の調光ファクタを有し、第２の調光ファクタを有する信号を受信できるということである。よって、光源は、第１の信号及び第２の信号を受信し、これら信号に従って光を放射するブラックボックスとみなされてもよい。次に、装置は、カラーポイントを測定し、（ブラックボックス）光源の光エミッタから相対的光束を決定できる。次に、この情報が、正確に制御される色で、（ブラックボックス）光源による光の放射を得るために、（ブラックボックス）光源を制御するために使われる。従って、方法は、例えば、カラー調整可能なランプの正確さを低減することなく、色調整可能なランプの異なる製造業者の光源を使用する機会を提供する。
【００１７】
調光ファクタは、それぞれの光エミッタにより放射される最大光束と関連して定められる。調光ファクタが０、すなわち０％である場合、光エミッタは全く放射しない。調光ファクタが１、すなわち１００％である場合、光エミッタは最大光束を放射する。調光ファクタが例えば８０％である場合、光エミッタが最大光束の８０％を放射すると予測される。最大光束は、通常の動作の下で放射される最大光束である。各光エミッタは、冷却手段等の利用可能性のような動作特性のセットを与えられて、最大光束を放射するように設計され製造される。光エミッタは、特定の電圧、特定の電流、又は特定の量の電力を供給することにより最大光束を放射するように駆動される。より高い電圧、より大きい電流、又はより多くの電力を供給することが理論的に可能かもしれないが、本発明の状況において最大光束の意味は、通常の動作の間、光エミッタにより放射される最大光束である。
【００１８】
この状況において、第１の色の光は第１の事前に決められたスペクトルの光であり、第２の色の光は第２の事前に決められたスペクトルの光でもよい。光の第１の事前に決められたスペクトルは、光の第２の事前に決められたスペクトルと異なり、従って、観察者は第２の色と異なる第１の色を経験する。スペクトルは、光の単一の波長又は複数の波長を有する。更に、事前に決められたスペクトルは、人間の目に見えるスペクトルに限定されない。
【００１９】
調光ファクタ（Ｄ１、Ｄ２）の組合せは調光ファクタ（Ｄ４、Ｄ５）の組合せと異なり、よって、２つのカラーポイントは異なる。
【００２０】
実施例において、前記センサコントローラは、それぞれ第１の光エミッタの最大光束に対する割合及び第２の光エミッタの最大光束に対する割合を示す０％に実質的に等しい調光ファクタＤａ及び１００％に実質的に等しい調光ファクタＤｂを有する第３の信号を前記光源へ供給し、前記光源が第３の信号に従って光を放射するとき、第３のカラーポイントを表わす測定信号を受信する。調光ファクタＤ１は１００％に実質的に等しく、調光ファクタＤ２は０％に実質的に等しい。第１の光エミッタの最大光束と第２の光エミッタの最大光束との間の比率を計算することは、第３のカラーポイント、調光ファクタＤａ及びＤｂに更に基づく。
【００２１】
よって、第１のカラーポイントは第１の光エミッタの正確なカラーポイントであり、第３のカラーポイントは第２の光エミッタの正確なカラーポイントである。第２のカラーポイントは、第１のカラーポイントと第２のカラーポイントとを通るライン上の第１のカラーポイントと第３のカラーポイントとの間にある。第２のカラーポイントは、第２の信号が光源へ供給されるとき、第２の光エミッタにより放射される光の量に対する第１の光エミッタにより放射される光の量に依存する、特定の色ポイントである。よって、第１のカラーポイント、第３のカラーポイント、及び第２のカラーポイントの特定の位置を知っていることは、第１の光エミッタの最大光束と第２の光エミッタの最大光束との間の比率の計算を可能にする。色空間のモデルは、第１の光エミッタの極大光束と、第２の光エミッタの極大光束とを決定するための関係を提供する。
【００２２】
色調整可能なランプのコントローラは、また、光源の光エミッタのカラーポイントを知る必要がある。光エミッタのカラーポイントは、光エミッタの仕様から逸脱し、光エミッタの悪化のため、カラーポイントは時間とともにドリフトするかもしれない。実施例は、第１の光エミッタの正確なカラーポイント及び第２の光エミッタの正確なカラーポイントが測定され、従って、カラー調整可能なランプが、より正確に制御されるという付加的な利点を持つ。
【００２３】
実施例において、調光ファクタＤ４は０％に実質的に等しく、調光ファクタＤ５は１００％に実質的に等しい。
【００２４】
更に、この実施例によると全てのファクタは０％又は１００％であり、これは、光エミッタが全く放射しないか又は最大強度で放射することを意味する。よって、光エミッタの光放射は、可能性がある調光曲線により影響されない。光源は、例えば、特定の調光ファクタを有する信号が受信されるとき、光エミッタに電圧又は電流を供給する駆動電子回路を有する。しばしば、駆動電子回路の部品は線形特性を持たず、従って、光エミッタにより放射される最大強度に対する割合は、調光ファクタにより示される最大強度に対する割合と異なる。更に、光エミッタは、非線形光放射特性を持つ。斯様な非線形挙動は、実施例の測定に影響せず、従って、測定はより正確である。
【００２５】
他の実施例において、第１のカラーポイント、第２のカラーポイント及び第３のカラーポイントは、ＣＩＥｘｙｚ色空間モデルの色空間内のそれぞれの座標（ｘ１、ｙ１）、（ｘ１２，ｙ１２）及び（ｘ２、ｙ２）により表され、第１の光エミッタの最大光束Ｙ１と第２の光エミッタのＹ２の最大光束との間の比率が、
2013536406.tif 000003
により計算される。
【００２６】
ＣＩＥｘｙｚ色空間モデルは、色空間において人間の目に見える全ての色をモデル化する良く知られたカラーモデルである。ＣＩＥｘｙｚ色空間モデルの色空間において、全ての色は、ｘｙ平面のｘｙ座標により記述される。第１のカラーポイント、第２のカラーポイント、第３のカラーポイントの座標及び調光ファクタが知られている場合、比率を計算するために提供された式は、ＣＩＥｘｙｚ色空間モデルの関係から導出できる。
【００２７】
比率を計算するための式は、比較的単純であり、よって、比率の計算は、それほど処理パワーを費やさない。従って、相対的光束センサのセンサコントローラは、比率を計算するための比較的単純な手段を有する。
【００２８】
他の実施例において、第１の光エミッタの最大光束と第２の光エミッタの最大光束との間の比率の計算は、第１の光エミッタのカラーポイントを計算することと、第２の光エミッタのカラーポイントを計算することとを有する。相対的光束センサは、カラーポイントを決定するための費用効果的なセンサである。色調整可能なランプを正確に制御するため色調整可能なランプのコントローラのための重要な情報である光エミッタの付加的な特性が得られるので、個別の光エミッタのカラーポイントを知っていることは有利である。
【００２９】
他の実施例において、前記光源は、更に、第１の色と異なり且つ第２の色と異なる第３の色を放射する第３の光エミッタを有する。第１の信号は、更に、第３の光エミッタの最大光束に対する割合を示す調光ファクタＤ３を有する。第２の信号は、更に、第３の光エミッタの最大光束に対する割合を示す調光ファクタＤ６を有する。前記センサコントローラは、それぞれ第１の光エミッタの最大光束に対する割合、第２の光エミッタの最大光束に対する割合及び第３の光エミッタの最大光束に対する割合を示している調光ファクタＤ７、調光ファクタＤ８及び調光ファクタＤ９を有する第４の信号を前記光源へ供給し、前記光源が第４の信号に従って光を放射するとき、第４のカラーポイントを表わす測定信号を受信する。また、第１の光エミッタの最大光束と第２の光エミッタの最大光束との間の比率を計算することは、調光ファクタＤ３、Ｄ６、Ｄ７、Ｄ８及びＤ９並びに第４のカラーポイントに更に基づく。
【００３０】
多くの実際的な光源において、３つの光エミッタは、より多くの色を放射可能にするために用いられる。色調整可能なランプが斯様な光源を有する場合、色調整可能なランプの制御装置は、全ての光エミッタの特性、特にこれらの最大光束を知る必要がある。光源が第１の色、第２の色及び第３の色の異なる組合せである種々異なる色を放射するとき、３つの異なるカラーポイントを測定することにより、且つ、それぞれのカラーポイントが測定されるとき、調光ファクタを知っていることにより、第１の光エミッタの最大光束と第２の光エミッタの最大光束との間の比率を計算する。色空間モデルは、式を提供し、これらの式から比率を計算するために式を演繹してもよい。相対的光束センサは、３つの光エミッタを有する光源を特徴づけるための比較的単純且つ費用効果的な装置である。３つの異なるカラーポイントが得られるように、調光ファクタ（Ｄ１、Ｄ２、Ｄ３）、（Ｄ４、Ｄ５、Ｄ６）及び（Ｄ７、Ｄ８、Ｄ９）の組合せが互いに異なる点に留意されたい。
【００３１】
他の実施例において、センサコントローラは、調光ファクタＤ１、Ｄ２、Ｄ３、Ｄ４、Ｄ５、Ｄ６、Ｄ７、Ｄ８及びＤ９と、第１のカラーポイント、第２のカラーポイント及び第４のカラーポイントとに基づいて、第１の光エミッタの最大光束と第３の光エミッタの最大光束との間の比率を計算するために更に設けられる。
【００３２】
３つのカラーポイントがそれぞれの調光ファクタと同様に知られている場合、第１の光エミッタの最大光束と第３の光エミッタの最大光束との間の比率を計算することも可能である。よって、実施例に基づいて、光源の３つの光エミッタの最大光束間の全ての比率が決定される。代わりに、実施例において、センサコントローラは、調光ファクタＤ１、Ｄ２、Ｄ３、Ｄ４、Ｄ５、Ｄ６、Ｄ７、Ｄ８及びＤ９と、第１のカラーポイント、第２のカラーポイント及び第４のカラーポイントとに基づいて、第２の光エミッタの最大光束と第３の光エミッタの最大光束との間の比率を計算するために更に配置される。
【００３３】
他の実施例において、前記センサコントローラは、それぞれ第１の光エミッタの最大光束に対する割合、第２の光エミッタの最大光束に対する割合及び第３の光エミッタの最大光束に対する割合を示す０％に実質的に等しい調光ファクタＤｃ、１００％に実質的に等しい調光ファクタＤｄ及び０％に実質的に等しい調光ファクタＤｅを有する第５の信号を前記光源へ供給し、前記光源が第５の信号に従って光を放射するとき、第５のカラーポイントを表わす測定信号を受信する。調光ファクタＤ１、Ｄ９は１００％に実質的に等しく、調光ファクタＤ２、Ｄ３、Ｄ７、Ｄ８は０％に実質的に等しい。第１の光エミッタの最大光束と第２の光エミッタの最大光束との間の比率を計算することは、第５のカラーポイント、調光ファクタＤｃ、Ｄｄ及びＤｅに更に基づく。追加の実施例において、第１の光エミッタの最大光束と第３の光エミッタの最大光束との間の比率を計算することは、第５のカラーポイント、調光ファクタＤｃ、Ｄｄ及びＤｅに更に基づく。
【００３４】
測定された第１のカラーポイント、測定された第４のカラーポイント及び測定された第５のカラーポイントは、それぞれ正確に、第１の光エミッタ、第３の光エミッタ及び第２の光エミッタのカラーポイントである。第２のカラーポイントは、第１の色、第２の色及び第３の色を組み合わせた結果である。調光ファクタＤ４、Ｄ５及びＤ６に依存して、特定の第２のカラーポイントが得られる。前述されたように、光エミッタの最大光強度間の比率を計算することに加えて、光エミッタの正確なカラーポイントを測定することは有利である。
【００３５】
他の実施例において、調光ファクタＤ３、Ｄ４及びＤ５は、１００％に実質的に等しい。この実施例において、光エミッタ又は光源の駆動電子回路の非線形性質による測定の影響は、可能な限り回避される。
【００３６】
実施例において、第１のカラーポイント、第２のカラーポイント、第４のカラーポイント及び第５のカラーポイントは、ＣＩＥｘｙｚ色空間モデルの色空間のそれぞれの座標（ｘ１、ｙ１）、（ｘ２、ｙ２）、（ｘ４、ｙ４）及び（ｘ５、ｙ５）と、
2013536406.tif 000004
により計算される第１の光エミッタの最大光束Ｙ１と第２の光エミッタの最大光束Ｙ２との間の比率、及び／又は
2013536406.tif 000005
により計算される第１の光エミッタの最大光束Ｙ１と第３の光エミッタの最大光束Ｙ３との間の比率とにより表される。
【００３７】
他の実施例において、前記センサコントローラは、更に、ｉ）最小調光ファクタと最大調光ファクタとの間で複数の調光ファクタを定め、ｉｉ）定められた複数の調光ファクタの各々に対して、第２の信号を前記光源へ供給することと、第２のカラーポイントを表わす測定信号を受信することと、第１の光エミッタの最大光束と第２の光エミッタの調光された光束との間の調光比率を計算することとを繰り返し実施し、ここで、調光ファクタＤ５は、後続の繰り返しにおいて、定められた複数の調光ファクタを通じて繰り返し、ｉｉｉ）定められた複数の調光ファクタ、第１の光エミッタの最大光束と第２の光エミッタの調光された光束との間の複数の計算された調光比率、及び第１の光エミッタの最大光束と第２の光エミッタの最大光束との間の計算された比率とに基づいて、第２の光エミッタの調光曲線のポイントを計算する。他の実施例において、前記センサコントローラは、調光曲線の計算されたポイントに基づいて、第２の光エミッタの調光曲線を再構成するために設けられる。
【００３８】
繰り返しの間、第１の光エミッタは、常に、最大光強度での光の放射を示す１００％の調光ファクタを受信する。よって、第１の光エミッタにより放射される光の量は一定に保たれる。繰り返しの間、調光ファクタＤ５は、第２の光エミッタにより放射されなければならない他の光強度を示し、このように、第２の光エミッタの光束は調光される。第１の光エミッタの最大光束と第２の光エミッタの最大光束との間の前に計算された比率と、最大光強度に対する特定の割合を示す変化した調光ファクタＤ５とに基づいて、第２の光エミッタが線形の調光曲線を持つとき、繰り返しの各々において、特定の計算された調光比率を予想する。調光比率の計算は、最大光束間の比率の計算と同様に実施される。しかしながら、現実の測定に基づく調光比率が予想される調光比率から逸脱するとき、第２の光エミッタの調光曲線は線形ではない。現実の測定に基づいて計算された調光比率は、調光曲線のポイントを計算するために用いられる。複数のポイントは、補間、外挿及び／又は曲線フィッティングを使用して、調光曲線を再構成するために用いられる。
【００３９】
光エミッタの調光曲線を知っていることは、色調整可能なランプのより正確な制御を可能にするので、有利である。更に、調光曲線は、比較的単純且つ費用効果的な相対的光束センサによって決定され、このように、調光曲線を決定することは、比較的容易且つ比較的安価である。特に光源が、受信した信号に依存して光源の光エミッタへ電力を供給するための駆動電子回路を有するブラックボックスであるとみなされるとき、最大光束に対する特定の割合を示す特定の調光ファクタが適用されるとき、光エミッタがどれくらいの光を放射するかを知るために光エミッタの調光曲線を決定することが有利である。よって、駆動電子回路を含む光源の反応が特徴づけられる。各製造業者は、駆動電子回路を異なるやり方で実行しているので、従って、異なる製造業者の光源は異なる挙動をする。相対的光束センサは、異なる製造業者の光源の挙動を決定するために用いられる、比較的単純且つ費用効果的な解決策を提供する。
【００４０】
実施例において、相対的光束センサは、更に、光源を有する色調整可能なランプの制御装置へ出力を供給するための出力手段を有する。出力は、第１のカラーポイント、第２のカラーポイント、及び第１の光エミッタの最大光束と第２の光エミッタの最大光束との間の比率を有する。出力は、例えば光エミッタのうちの１つの光エミッタの調光曲線のような詳細な情報を有する。色調整可能なランプの制御装置へ出力を供給することにより、制御装置は、光源により放射される光の色をより正確に制御できる。
【００４１】
本発明の第２の態様による色調整可能なランプ用の制御装置は、本発明の第１の態様による相対的光束センサと光源コントローラとを有する。光源コントローラは、i)第１のカラーポイント、第２のカラーポイント、及び第１の光エミッタの最大光束と第２の光エミッタの最大光束との間の比率を受信し、ii)色調整可能なランプにより放射される色を示すユーザー入力を受信し、iii)前記光源が第６の信号による光を放射するとき、前記ユーザー入力により示される放射される色を得るために、第１のカラーポイント、第２のカラーポイント、及び第１の光エミッタの最大光束と第２の光エミッタの最大光束との間の比率に基づいて、それぞれ第１の光エミッタの最大光束に対する割合及び第２の光エミッタの最大光束に対する割合を示す調光ファクタＤ１０及び調光ファクタＤ１１を有する第６の信号を生成し、iv)色調整可能なランプの光源へ第６の信号を供給するために設けられる。
【００４２】
制御装置は、ユーザー入力の色に正確にマッチする色の放射に結果としてなる第６の信号を生成できる。ユーザー入力に依存する斯様な信号の生成手段は知られていて、一般に、斯様な生成に関与する手段は、光源の光エミッタの特性を有する付加的な入力を必要とする。受信した第１のカラーポイント、第２のカラーポイント、及び第１のエミッタの最大光束と第２のエミッタの最大光束との間の比率は、ユーザー入力の示された色に従って放射された色を得るために、光源の光エミッタを正確に制御するのに十分である。詳細な情報、例えば光エミッタの調光曲線が供給される場合、第６の信号は、より正確に生成される。
【００４３】
第２の態様によるカラー調整可能なランプのための制御装置は、本発明の第１の態様による相対的光束センサと同じ利点を提供し、同様の効果を持つ同様の実施例を持つ。
【００４４】
第３の本発明の態様によると、本発明の第２の態様による光源と色調整可能なランプのための制御装置とを有する色調整可能なランプが提供される。光源は、第１の色の光を放射するための第１の光エミッタと第１の色と異なる第２の色の光を放射するための第２の光エミッタとを有する。これらの光エミッタにより放射されるそれぞれの光エミッタの最大光束に対する割合を示す調光ファクタを有する受信信号に従って、光を放射するための光源が設けられる。
【００４５】
第３の態様による色調整可能なランプは、本発明の第２の態様による色調整可能なランプのための制御装置と同じ利点を提供し、同様の効果を持つ同様の実施例を持つ。
【００４６】
第４の本発明の態様によると、第３の本発明の態様に従って色調整可能なランプを有する照明器具が提供される。
【００４７】
第４の態様による照明器具は、第３の本発明の態様による相対的な色調整可能なランプ制御装置と同じ利点を提供し、同様の効果を持つ同様の実施例を持つ。
【００４８】
第５の本発明の態様によると、光源の相対的光束を特徴づける方法が提供される。光源は、第１の色の光を放射する第１の光エミッタと第１の色と異なる第２の色の光を放射する第２の光エミッタとを有する。光源は、第１の色の光及び第２の色の光の混合である制御可能な色の光を放射するように設けられる。当該方法は、ｉ）調光ファクタＤ１及び調光ファクタＤ２の少なくとも一つが０ではなく、それぞれ第１の光エミッタの最大光束に対する割合及び第２の光エミッタの最大光束に対する割合を示している調光ファクタＤ１及び調光ファクタＤ２を有する第１の信号を前記光源へ供給し、前記光源が第１の信号に従って光を放射するとき、第１のカラーポイントを表わす測定信号を受信するステップと、ｉｉ）調光ファクタＤ４及び調光ファクタＤ５両方とも０ではなく、それぞれ第１の光エミッタの最大光束に対する割合及び第２の光エミッタの最大光束に対する割合を示している調光ファクタＤ４及び調光ファクタＤ５を有する第２の信号を前記光源へ供給し、前記光源が第２の信号に従って光を放射するとき、第２のカラーポイントを表わす測定信号を受信するステップと、ｉｉｉ）第１のカラーポイント、第２のカラーポイント、調光ファクタＤ１、Ｄ２、Ｄ４及びＤ５に基づいて第１の光エミッタの最大光束と第２の光エミッタの最大光束との間の比率を色空間のモデル内で計算するステップとを有する。
【００４９】
本発明の第５の態様による方法は、本発明の第１の態様による相対的光束センサと同じ利点を提供し、システムの対応する実施例と同様の効果を持つ同様の実施例を持つ。
【００５０】
第１の光エミッタにより放射される最大光束と第２の光エミッタにより放射される最大光束との間の比率を計算するステップが最終ステップとして実施される必要がある点に留意されたい。当該方法の他のステップは、他のステップが比率を計算するステップの前に実施される限り、他の順で実施されてもよい。
【００５１】
本発明の第６の態様によると、プロセッサシステムに本発明の第５の態様による方法を実施させるための命令を有するコンピュータプログラムが提供される。
【００５２】
本発明の第６の態様によるコンピュータプログラムは、本発明の第１の態様による相対的光束センサと同じ利点を提供し、システムの対応する実施例と同様の効果を持つ同様の実施例を持つ。
【００５３】
本発明のこれら及び他の態様は、これ以降説明される実施例を参照して明らかに説明されるだろう。
【００５４】
本発明の上述の実施例、実行及び／又は態様の２つ以上が、有効であると考えられる任意の態様で組み合わせられてもよいことは、当業者により理解されるだろう。
【００５５】
システムの説明されている変更及びバリエーションに対応するシステム、方法及び／又はコンピュータプログラムの変更及びバリエーションは、本説明に基づいて当業者により実施できる。
【図面の簡単な説明】
【００５６】
【図１】図１は、本発明の第１の態様による光源及び相対的光束センサを模式的に示す。
【図２ａ】図２ａは、２つの得られたカラーポイント測定を示すＣＩＥｘｙｚ色空間を模式的に示す。
【図２ｂ】図２ｂは、他の実施例の他のカラーポイント測定が描かれたＣＩＥｘｙｚ色空間を模式的に示す。
【図３】図３は、調光曲線の決定されたポイントを含む調光曲線を模式的に示す。
【図４】図４は、本発明の第２の態様による３つの光エミッタを有する光源及び色調整可能なランプ制御装置を模式的に示す。
【図５】図５は、本発明の第３の態様による色調整可能なランプを模式的に示す。
【図６】図６は、本発明の第４の態様による照明器具を模式的に示す。
【図７】図７は、本発明の第５の態様による方法をフロー図で示す。
【発明を実施するための形態】
【００５７】
異なる図の同一参照番号により示される部材は、同じ構造特徴及び同じ機能を持つか、又は同じ信号である点に留意されたい。斯様な部材の機能及び／又は構造が説明されている場合、詳細な説明において反復説明の必要はない。
【００５８】
これらの図は、単なる概略であって、一定の縮尺で描かれているわけではない。特に明確にするため、幾つかの寸法は強く誇張されている。
【００５９】
第１の実施例が図１に示される。第１の発光ダイオード（ＬＥＤ）１０２及び第２のＬＥＤ１１４を有する光源１０１が示される。第１のＬＥＤ１０２は、光源１０１の光混合室１１２へ第１の色の光を放射する。第２のＬＥＤ１１４は、光混合室１１２へ第２の色の光を放射する。第２の色は、第１の色と異なる。光混合室１１２は、光射出窓１０４を有する。第１の色及び第２の色の混合である光は、光源１０１の周囲へ光射出窓１０４を通って放射される。
【００６０】
相対的光束センサ１２２も同様に示されている。相対的光束センサ１２２は、光がカラーポイントセンサ１０８に当たるように相対的光束センサ１２２に入る光入力部１０６を有する。カラーポイントセンサ１０８は、相対的光束センサ１２２のセンサコントローラ１１８に結合される。センサコントローラ１１８は、出力手段１２０に結合される。
【００６１】
カラーポイントセンサ１０８は、光入力ウィンドウ１０６を通るカラーポイントセンサ１２２に入る光のカラーポイントを測定する。カラーポイントは、入射光の色を表す色空間の座標である。センサコントローラ１１８は、カラーポイントセンサ１０８から、測定信号を受信する。
【００６２】
センサコントローラ１１８は、光源１０１に通信チャネル１１６を介して第１の信号を供給する。第１の信号は、調光ファクタＤａと調光ファクタＤｂとを有する。調光ファクタＤａは、第１のＬＥＤ１０２の最大強度に対する割合を示し、調光ファクタＤｂは、第２の光エミッタ１１４の最大強度に対する割合を示す。光源１０１が第１の信号に従って光を放射するとき、第１のＬＥＤ１０２は最大強度に対する割合Ｄａの光を放射し、第２の光エミッタ１１４は最大強度に対する割合Ｄｂの光を放射し、センサコントローラ１１８は第１のカラーポイントを表す測定信号を受信する。次に、センサコントローラ１１８は、光源１０１へ通信チャネル１１６を介して第２の信号を供給する。第２の信号は、第１のＬＥＤ１０２の最大強度に対する割合を示す調光ファクタＤｃを有する。第２の信号は、更に、第２の光エミッタの最大強度に対する割合を示す調光ファクタＤｄを有する。光源１０１が第２の信号に従って光を放射するとき、センサコントローラ１１８は、第２のカラーポイントを表す測定信号を受信する。調光ファクタＤａ及びＤｂの少なくとも１つは、０と異なる。調光ファクタＤａ及びＤｂの他の１つも、０と異なってもよい。調光ファクタＤｃ及びＤｄ両方は、０と異なる。更に、調光ファクタ（Ｄａ、Ｄｂ）の組合せは、２つの異なるカラーポイントが測定されるように、調光ファクタ（Ｄｃ、Ｄｄ）の組合せと異なる。更に、光エミッタの最大光強度及び光エミッタの最大光束は、本願の状況において交換可能な点に留意されたい。
【００６３】
センサコントローラ１１８は、更に、第１のＬＥＤ１０２により放射される最大光束と第２のＬＥＤ１１４により放射される最大光束との間の比率を、色空間モデル内で計算するように設けられる。計算のための入力は、第１のカラーポイント、第２のカラーポイント及び調光ファクタＤａ、Ｄｂ、Ｄｃ及びＤｄである。カラーポイント測定は、色空間モデルの色空間の座標である。色空間モデルは、モデルの異なる変数間の関係を提供し、比率の計算を可能にする。第１のカラーポイント、第２のカラーポイント及び調光ファクタが知られているとき、比率が計算されるように、色空間モデルの関係を解析するために十分な情報が利用できる。例えば、色空間モデルが線形であり、カラーポイントの位置がＬＥＤ１０２、１１４のカラーポイントに線形に依存する場合、また、ＬＥＤ１０２、１１４が線形光エミッタである場合、比率を計算することは比較的容易である。
【００６４】
出力手段１２０は、第１のＬＥＤ１０２の最大光束と第２のＬＥＤ１１４の最大光束との間の比率をセンサコントローラ１１８から受け取る。出力手段１２０は、相対的光束センサ１２２の出力１１１を供給する。出力１１１は、第１のＬＥＤ１０２の最大光束と第２のＬＥＤ１１４の最大光束との間の比率を少なくとも有する。
【００６５】
光源１０１及び相対的光束センサ１２２は、空間的に離隔され、これは、相対的光束センサ１２２が光源１０１の一部でないことを意味する。しかしながら、他の実施例で説明されているように、相対的光束センサ１２２及び光源１０１は１台の装置に集積されてもよい。図１の実施例において、相対的光束センサ１２２と光源１０１との間に通信チャネル１１６がある。通信チャネル１１６は、銅のワイヤ、ガラスファイバー又は無線送信チャネルである。カラーポイントセンサ１０８上の光入力ウィンドウ１０６を通って入る光が、光源１０１から主に生じる。しかしながら、他の光源が周囲に存在するとき、周囲光がカラーポイントセンサ１０８に入ることを除外することは多分不可能である。光源１０１から生じない、また、カラーポイントセンサ１０８に入る光の量が比較的小さい場合、相対的光束センサ１２２は、カラーポイントを比較的正確に依然測定し、よって、第１のＬＥＤ１０２の最大光束と第２の光エミッタ１０１の最大光束との間の比率が比較的正確に依然計算される。他の実施例において、カラーポイントセンサ１０８は、周囲からの入射光に対して自動的に修正する。斯様なカラーポイントセンサ１０８は、光源１０１が光を放射せず、周囲光だけがカラーポイントセンサ１０８に当たるとき他の測定値を得る。後続の測定は、周囲光の前記他の測定値に対するカラーポイントセンサにより修正される。
【００６６】
同様に相対的光束センサ１２２が他の光源と組み合わせて用いられてもよい点に留意されたい。光源１０１は、相対的光束センサ１２２が光エミッタ１０２、１１４のパラメータを特徴づける光源の単なる例である。光源１０１の実施例は、光混合室１１２を持つ光源にも、又は、ＬＥＤ光エミッタを持つ光源にも限定されない。他のタイプの光エミッタは、例えば有機ＬＥＤ、カラーバルブ、カラーフィルタを具備する光エミッタ等である。
【００６７】
図２ａにおいて、色空間の模式的図２００が与えられる。色空間は、ＣＩＥｘｙｚ色空間である。ＣＩＥｘｙｚ色空間の全ての色は、（ｘ、ｙ）座標により表され、図２ａにおいて、水平軸はｘ軸２２８であり、垂直軸はｙ軸２０２である。形状２２７は、全ての可視色のエンベロープである。１つの波長の光だけを有する最も純な色は、形状２２７の境界に通常位置する。純粋な青い光は、三角形２１６の近くの位置に位置され、純粋な緑の光は三角形２２０の近くの位置に位置され、純粋な赤い光は三角形２２４の近くの位置に位置される。
【００６８】
図１の実施例に戻って参照すると、得られた第１のカラーポイント測定は、例えば、ＣＩＥｘｙｚ色空間の位置２０４に位置されるカラーポイントＰ１＝（ｘ３、ｙ３）である。よって、光源１０１が第１の信号に従って放射するとき（これは第１のＬＥＤ１０２が調光ファクタＤａで放射し、第２のＬＥＤ１１４が調光ファクタＤｂで放射することを意味する）、Ｐ１により表される色は光源１０１により放射される色である。Ｐ１により表される色は第１のＬＥＤ１０２の色（カラーポイントが位置２１８で描かれる）と第２のＬＥＤ１１４の色（カラーポイントが位置２２６で描かれる）の混合である。第１のＬＥＤ１０２のカラーポイントは座標（ｘ１、ｙ１）により表され、第２のＬＥＤ１１４のカラーポイントは座標（ｘ２、ｙ２）により表される。得られた第２のカラーポイント測定値は、例えば、ＣＩＥｘｙｚ色空間の位置２０６に位置するカラーポイントＰ２＝（ｘ４、ｙ４）である。
【００６９】
以下の段落では、第１のＬＥＤ１０２及び第２のＬＥＤ１１４の光放射は、第１のＬＥＤ１０２及び第２のＬＥＤ１１４により放射される最大光強度に線形に依存し、調光ファクタが関係の変数であると仮定される。よって、第１のＬＥＤ１０２に関して、Ｌａ＝Ｄａ・Ｌｅｍ１＿ｍａｘ及びＬｃ＝Ｄｃ・Ｌｅｍ１＿ｍａｘであり、ここで、Ｌｅｍ１＿ｍａｘは、第１のＬＥＤ１０２の最大光放射であり、Ｌａ及びＬｃは、それぞれ第１の信号及び第２の信号が、前述された調光ファクタＤａ及びＤｃそれぞれを持つ光源１０１により受信されるときの第１のＬＥＤ１０２の光放射である。
【００７０】
第１のＬＥＤ１０２により放射される最大光束と第２のＬＥＤ１１４により放射される最大光束との間の比率を計算するために、第１のＬＥＤ１０２のカラーポイント（ｘ１、ｙ１）及び第２のＬＥＤ１１４のカラーポイント（ｘ２、ｙ２）は、最初に計算される必要がある。これは、次の式によりなされる。
2013536406.tif 000006
2013536406.tif 000007
2013536406.tif 000008
2013536406.tif 000009
【００７１】
次に、第１のＬＥＤ１０２により放射される光束と第２のＬＥＤ１１４により放射される光束との間の比率が計算され、ここで、以下の比率
2013536406.tif 000010
は、第１の信号が光源１０１により受信されるときに関係する。
【００７２】
又は、第１のＬＥＤ１０２により放射される光束と第２のＬＥＤ１１４により放射される光束との間の比率が計算され、ここで、以下の比率
2013536406.tif 000011
は、第２の信号が光源１０１により受信されるときに関係する。
【００７３】
次に、第１のＬＥＤ１０２により放射される最大光束と第２のＬＥＤ１１４により放射される最大光束との間の比率は、以下の式の１つによって計算される。
2013536406.tif 000012
【００７４】
センサコントローラは、式の結果を計算するための計算手段を有する。比率を計算するための斯様な手段は、ソフトウェアによって機能を実行する汎用計算機でもよい。代わりに、ハードウェアによって機能を実行することも可能である。
【００７５】
例えば、比率Ｒが２である場合、このとき、第２の光エミッタは第１の光エミッタの放射の２倍の光を放射する。よって、第１の光エミッタは３タプル（ｘ２、ｙ２、０．５）により特徴づけられ、第２の光エミッタは３タプル（ｘ１、ｙ１、１．０）により特徴づけられる。数字は、光源により所望の色の光の放射を制御するために色調整可能なランプのコントローラにより用いられる。
【００７６】
他の実施例では、調光ファクタＤａ及びＤｄは１００％に実質的に等しく、調光ファクタＤｂ及びＤｃは０％に実質的に等しい。センサコントローラ１１８は、更に、第３の信号を光源１０１へ供給するために設けられ、ここで、第３の信号が受け取られるとき光源１０１のＬＥＤ１０２、１１４が最大光強度で放射するように、第３の信号は調光ファクタＤａ及びＤｄを有する。センサコントローラは、光源１０１が第３の信号に従って放射するとき第３のカラーポイントを表わす測定信号を受信する。
【００７７】
前記他の実施例のカラーポイントは、図２ｂに描かれている。光源１０１が調光ファクタＤａ＝１００％及び調光ファクタＤｂ＝０％を有する第１の信号を受信するとき、測定された第１のカラーポイントは、第１のＬＥＤ１０２のカラーポイント２１８である。光源１０１が調光ファクタＤｃ＝０％及び調光ファクタＤｄ＝１００％を有する第２の信号を受信するとき、測定された第２のカラーポイントは、第２の光エミッタ１１４のカラーポイント２２６である。光源１０１が調光ファクタＤａ＝１００％及びＤｄ＝１００％を有する第３の信号を受信するとき、測定された第３のカラーポイントは、第１のカラーポイント２１８と第２のカラーポイント２２６との間のポイント２１４である。第１のカラーポイントの座標は（ｘ１、ｙ１）であり、第２のカラーポイントの座標は（ｘ２、ｙ２）であり、第３のカラーポイントの座標は（ｘ１２、ｙ１２）である。次に、第１のＬＥＤ１０２により放射される最大光束Ｌｅｍ１＿ｍａｘと第２のＬＥＤ１１４により放射される最大光束Ｌｅｍ２＿ｍａｘとの間の比率は、以下の式により計算される。
2013536406.tif 000013
【００７８】
代わりに、異なるカラーポイントを持つ他のＬＥＤが用いられる。第１のＬＥＤ１０２は、図２ｂに示され、座標（ｘ１１００％、ｙ１１００％）により表されるカラーポイント２０８を持つ。第２のＬＥＤ１１４は、図２ｂに示されるカラーポイント２１３を持ち、第２のカラーポイントは、座標（ｘ２１００％、ｙ２１００％）により表される。よって、第１のＬＥＤ１０２により放射される光は比較的緑であり、第２のＬＥＤ１１４により放射される光は比較的青い。センサコントローラが第３の信号を生成し、このように最大光強度で同時に放射するため第１のＬＥＤ１０２及び第２のＬＥＤ１１４を制御するとき、座標（ｘ１２１００％、ｙ１２１００％）により表される第３のカラーポイント２１２が得られる。第１のＬＥＤ１０２により放射される最大光束と第２のＬＥＤ１１４により放射される最大光束との間の比率は、以下の通りに計算される。
2013536406.tif 000014
【００７９】
センサコントローラ１１８は、更に、第２のＬＥＤ１１４の調光曲線を決定するように設けられる。センサコントローラ１１８は、複数の測定を繰り返し実行し、ここで、第３の信号は光源へ供給され、各繰り返しの間、調光ファクタＤａは１００％であり、調光ファクタＤｄは、最小調光ファクタと最大調光ファクタとの間で変動する複数の事前に決められた調光ファクタを通じて繰り返される。例えば、複数の事前に決められた調光ファクタは、７５％、５０％及び２５％である。各繰り返しの間、光源１０１は、第１の色と第２の色との混合である色の光を放射する。混合の第２の色の割合が減少するので、カラーポイントは、第１のカラーポイント２０８の方向に移動する。よって、繰り返しの間、カラーポイント２１１、２１０及び２０９が得られる（図２ｂを参照）。
【００８０】
以下の説明において、繰り返しの１つの間、調光ファクタＤｄは５０％に等しい。光源が調光ファクタＤａ＝１００％及びＤｄ＝５０％に従って光を放射する場合、センサコントローラ１１８は、座標（ｘ１２５０、ｙ１２５０）により表されるカラーポイント２１０を得る。次に、センサコントローラ１１８は、以下の式
2013536406.tif 000015
を適用することにより、第１のＬＥＤ１０２により放射される光束と第２のＬＥＤ１１４により放射される光束との間の比率を得る。
【００８１】
調整された第３の信号を供給し、付加的なカラーポイント測定を得て、他の比率を計算するこれらのステップは繰り返し実施される一方で、第１の光強度は１００％一定に保たれ、第２の光強度が（７５％、５０％、２５％）のセットで繰り返される。
【００８２】
計算されたｒａｔｉｏ１００％、第２のＬＥＤ１１４に対する５０％光強度の設定及び計算されたｒａｔｉｏ５０％に基づいて、第２のＬＥＤ１１４の調光曲線のポイントは、計算される。必要でないが、最初に、予想されるｅｘｐｅｃｔｅｄ＿ｒａｔｉｏ５０％が計算される。ｒａｔｉｏ５０％が
2013536406.tif 000016
に等しいと予想される。繰り返しの１つの間の測定値に基づくｒａｔｉｏ５０％がｅｘｐｅｃｔｅｄ＿ｒａｔｉｏ５０％値と異なる場合、２タプル（５０％、５０％）＝（ｉｎｔｅｎｓｉｔｙ＿ｉｎ、ｉｎｔｅｎｓｉｔｙ＿ｏｕｔ）は調光曲線上のポイントにない。Ｉｎｔｅｎｓｉｔｙ＿ｉｎは、第２のＬＥＤ１１４の最大強度に対する第２の信号により示される強度であり、ｉｎｔｅｎｓｉｔｙ＿ｏｕｔは、第２のＬＥＤ１１４がｉｎｔｅｎｓｉｔｙ＿ｉｎを示す第２の信号を受信するとき、第２のＬＥＤ１１４により現実に放射される（最大強度に対する）強度である。Ｉｎｔｅｎｓｉｔｙ＿ｏｕｔは、以下の式により計算される。
2013536406.tif 000017
【００８３】
例において、第２の信号は、５０％光放射を示した。以前に決定されたｒａｔｉｏ１００％＝２であるとすると、ｅｘｐｅｃｔｅｄ＿ｒａｔｉｏ５０％＝（１／０．５）＊２＝４である。しかしながら、測定の間、現実の値はｒａｔｉｏ５０％＝２．６６６である。よって、ｉｎｔｅｎｓｉｔｙ＿ｏｕｔ＝２／２．６６６＝０．７５であり、これは、第２のＬＥＤ１１４が最大光強度の５０％で放射するための信号を受信するとき、第２のＬＥＤ１１４が７５％で実際に放射することを意味する。よって、ポイント（５０％、７５％）は、第２のＬＥＤ１１４の調光曲線上のポイントである。
【００８４】
図２ｂにおいて、カラーポイント測定値の多くの例が示され、これら測定値は、繰り返しの間であって、第２のＬＥＤ１１４が最小光強度と最大光強度との間の光強度を示す第２の信号を受信した状況の下で測定される。例えば、２１１、２１０及び２０９により示されるカラーポイントは、第２のＬＥＤ１１４が、７５％、５０％及び２５％の光強度をそれぞれ示す第２の信号を受信したときのそれぞれのカラーポイントの測定値である。調光曲線の幾つかのポイントは、上述の計算を実施することにより得られる。
【００８５】
図３は、光源の光エミッタの調光曲線の図３００を示す。ｘ軸３１２は、光源の入力信号により示される正規化された強度値であるｉｎｔｅｎｓｉｔｙ＿ｉｎ値を表す。ｙ軸３０２は、正規化された強度出力値を表わし、よって、特定のｉｎｔｅｎｓｉｔｙ＿ｉｎ値を示す信号が受信されるとき、現実に放射される光の正規化された量を表わす。光エミッタ、及び例えば光エミッタの駆動電子回路の挙動が線形である場合、点線３１０に従った調光曲線を予想するだろう。しかしながら、例えば光エミッタの物理的特性の結果として、又は、入力信号に依存する光エミッタへ電力を供給する駆動回路の意図された及び／又は意図されていない非線形性のため及び／又は光エミッタの非線形挙動のため、調光曲線は非線形である。図２ｂの状況において説明される例において、５０％の入力値３１５及び７５％の出力値３０４を持つポイント３０６は、調光曲線３０８上にある。幾つかの斯様なポイントが知られている場合、調光曲線３０８は、補間、外挿又は曲線フィッティングによって再構成される。
【００８６】
図４は、光源４０２の他の実施例と色調整可能なランプ用の制御装置４０６の他の実施例とを示す。光源４０２は、光源４０２の周囲へ直接光を放射する３つの有機ＬＥＤ（ＯＬＥＤ）を有する。第１のＯＬＥＤ４０１は第１の色の光を放射し、第２のＯＬＥＤ４０３は第２の色の光を放射し、第３のＯＬＥＤ４１２は第３の色の光を放射する。第１の色、第２の色及び第３の色は互いに異なる。三原色、例えば赤、緑及び青が使われる場合、実際的には、全ての色が放射される。図４の例において、３つのＯＬＥＤは互いに隣に位置され、これらの全ては同一方向へ光の量を放射する。よって、３つのＯＬＥＤの光は、光源４０２から離れた距離で自動的に混合され、光４１６の実質的に均一な混合が得られる。
【００８７】
制御装置４０６は、制御装置４０６のハウジング内に集積されていないが、制御装置４０６のセンサコントローラ４１８にワイヤを介して結合されるカラーポイントセンサ１０８を有する。カラーポイントセンサ１０８は、光源４０２から光４１６を受け取り、光源４０２とカラーポイントセンサ１０８との間の比較的大きな距離のため、光源４０２の３つのＯＬＥＤにより放射される色の均一な混合４１６が、カラーポイントセンサ１０８に当たる。カラーポイントセンサ１０８は、カラーポイントセンサ１０８に当たる光４１６のカラーポイントを測定し、測定されたカラーポイントを有するセンサコントローラ４１８へ測定信号を供給する。
【００８８】
センサコントローラ４１８は、出力手段４２０に結合され、出力手段にカラーポイント測定値及び光束間の計算された比率の結果を供給する。出力手段４２０は、光源コントローラ４１０に結合されている。光源コントローラ４１０は、ＯＬＥＤの出力手段特性を受信し、光源４０２により放射される必要がある色を示すユーザー入力４２２を受信する。
【００８９】
光源コントローラ４１０は、信号ａ、信号ｂ及び信号ｃと本実施例で呼ばれる３つの信号を生成する。信号ａ、ｂ及びｃは、通信チャネル４０４を介して光源４０２へ供給され、これらは、ＯＬＥＤ４０１、第２のＯＬＥＤ４０３及び第３のＯＬＥＤ４１２により放射される特定の量の光をそれぞれ示す。光源コントローラは、ユーザー入力４２２と第１のＯＬＥＤ４０１、第２のＯＬＥＤ４０３及び第３のＯＬＥＤ４１２の特性とに基づいて動作する良く知られたコントローラに基づいて、信号ａ、ｂ及びｃを生成する。これらの特性は、出力手段４２０により供給され、第１のＯＬＥＤ４０１、第２のＯＬＥＤ４０３及び第３のＯＬＥＤ４１２の第１のカラーポイント、第２のカラーポイント及び第３のカラーポイントをそれぞれ有する。特性は、更に、第１のＯＬＥＤ４０１の最大光束と第２のＯＬＥＤ４０３の最大光束との間の第１の比率と、第１のＯＬＥＤ４０１の最大光束と第３のＯＬＥＤ４１２の最大光束との間の第２の比率とを有する。
【００９０】
図４の例において、センサコントローラ４１８は、第１の比率及び第２の比率を決定でき、これらは、出力手段４２０を介して光源コントローラ４１０へ供給される。第１の比率及び第２の比率を決定する２つの実施例が、以下に説明される。
【００９１】
第１の実施例において、センサコントローラ４１８は、通信チャネル４１４を介して光源４０２へ第１の信号を供給する。第１の信号は、調光ファクタＤ１、Ｄ２及びＤ３を有し、これらは、第１のＯＬＥＤ４０１、第２のＯＬＥＤ４０３、第３のＯＬＥＤ４１２それぞれの最大光強度の割合を示す。光源４０２が第１の信号に従って光を放射するとき、センサコントローラ４１８は、カラーポイントセンサ１０８から第１のカラーポイントを表わす測定信号を受信する。次に、センサコントローラ４１８は、通信チャネル４１４を介して光源４０２へ第２の信号を供給する。第２の信号は、調光ファクタＤ４、Ｄ５及びＤ６を有し、これらは、第１のＯＬＥＤ４０１、第２のＯＬＥＤ４０３、第３のＯＬＥＤ４１２それぞれの最大光強度の割合を示す。光源４０２が第２の信号に従って光を放射するとき、センサコントローラ４１８は、カラーポイントセンサ１０８から第２のカラーポイントを表わす測定信号を受信する。次に、センサコントローラ４１８は、通信チャネル４１４を介して光源４０２へ第４の信号を供給する。第４の信号は、調光ファクタＤ７、Ｄ８及びＤ９を有し、これらは、第１のＯＬＥＤ４０１、第２のＯＬＥＤ４０３、第３のＯＬＥＤ４１２それぞれの最大光強度の割合を示す。光源４０２が第４の信号に従って光を放射するとき、センサコントローラ４１８は、カラーポイントセンサ１０８から第４のカラーポイントを表わす測定信号を受信する。最後に、センサコントローラ４１８は、調光ファクタＤ１乃至Ｄ９、第１のカラーポイント、第２のカラーポイント及び第４のカラーポイントに基づいて、第１のＯＬＥＤ４０１の最大光束と第２のＯＬＥＤ４０３の最大光束との間の第１の比率を計算する。加えて、センサコントローラ４１８は、調光ファクタＤ１乃至Ｄ９、第１のカラーポイント、第２のカラーポイント及び第４のカラーポイントに基づいて、第１のＯＬＥＤ４０１の最大光束と第３のＯＬＥＤ４１２の最大光束との間の第２の比率を計算するように設けられる。加えて、センサコントローラ４１８は、調光ファクタＤ１乃至Ｄ９、第１のカラーポイント、第２のカラーポイント及び第４のカラーポイントに基づいて、第２のＯＬＥＤ４０３の最大光束と第３のＯＬＥＤ４１２の最大光束との間の第３の比率を計算するように設けられる。代わりに、第３の比率は、第１の比率及び第２の比率から演繹されてもよい。
【００９２】
代わりに、第２の実施例において、調光ファクタＤ１、Ｄ５及びＤ９は１００％であり、調光ファクタＤ２、Ｄ３、Ｄ４、Ｄ６、Ｄ７及びＤ８は０％である。センサコントローラ４１８は、更に、第５の信号を光源４０２へ供給するように設けられる。第５の信号は、調光ファクタＤ１、Ｄ５及びＤ９を有する。光源４０２が第５の信号に従って光を放射するとき、センサコントローラ４１８は、カラーポイントセンサ１０８から第５のカラーポイントを表わす測定信号を受信する。センサコントローラ４１８は、調光ファクタＤ１乃至Ｄ９、第１のカラーポイント、第２のカラーポイント、第４のカラーポイント及び第５のカラーポイントに基づいて、第１のＯＬＥＤ４０１の最大光束と第２のＯＬＥＤ４０３の最大光束との間の第１の比率を計算するように設けられる。加えて、センサコントローラは、調光ファクタＤ１乃至Ｄ９、第１のカラーポイント、第２のカラーポイント、第４のカラーポイント及び第５のカラーポイントに基づいて、第１のＯＬＥＤ４０１の最大光束と第３のＯＬＥＤ４１２の最大光束との間の第２の比率を計算するように設けられる。
【００９３】
第２の実施例において、第１のカラーポイント、第２のカラーポイント、第４のカラーポイント及び第５のカラーポイントは、座標（ｘ１、ｙ１）、（ｘ２、ｙ２）、（ｘ３、ｙ３）及び（ｘ１２３、ｙ１２３）によりそれぞれ表される。センサコントローラ４１８は、以下の式
2013536406.tif 000018
により、第１のＯＬＥＤ４０１の最大光束Ｙ１と第２のＯＬＥＤ４０３の最大光束Ｙ２との間の第１の比率を計算し、センサコントローラ４１８は、以下の式
2013536406.tif 000019
により、第１のＯＬＥＤ４０１の最大光束Ｙ１と第３のＯＬＥＤ４１２の最大光束Ｙ３との間の第２の比率を計算する。
【００９４】
第２の光エミッタ１１４により放射された最大光束Ｙ２と第３の光エミッタ４１２により放射された最大光束Ｙ３との間の第３の比率が以下の式によって計算される点に留意されたい。
2013536406.tif 000020
しかしながら、第３の比率が第１の比率及び第２の比率から導出できるので、この式に基づいて第３の比率を計算することは必要でない。
【００９５】
第１のＯＬＥＤ４０１、第２のＯＬＥＤ４０３及び第３のＯＬＥＤ４１２の特性を決定することがユーザー入力に従って光を放射する光源を制御する以外の時間で実施される点に留意されたい。よって、時間の第１の間隔で、センサコントローラ４１８は光源４０２へ信号を供給する一方、時間の第２の間隔で、光源コントローラ４１０は光源４０２へ信号を供給する。第１の間隔及び第２の間隔は、重複しない。ＯＬＥＤ４０１、４０３、４１２の特性の決定は、比較的急速になされ、従って、第２の間隔の長さに対する第１の間隔の長さは比較的短い。
【００９６】
図５は、本発明の第３の態様による色調整可能なランプ５００の実施例を示す。色調整可能なランプ５００は、第１のＬＥＤ１０２及び第２のＬＥＤ１１４を有する光源を有する。ＬＥＤ１０２、１１４両方は、光混合室１１２内に光を放射する。光混合室１１２は光射出窓１０４を持ち、この窓を通って第１のＬＥＤ１０２及び第２のＬＥＤ１１４からの光の組合せがカラー調整可能なランプ５００の周囲へ放射される。光射出窓１０４の近くの光混合室１１２内に、光射出窓１０４を通って放射される混合光のカラーポイントを測定できるカラーポイントセンサ１０８が設けられる。カラーポイントセンサ１０８は、図１の実施例のセンサコントローラ１１８と同じ機能を持ち、光源コントローラ５０４へ出力を供給する出力手段を有するセンサコントローラ５０８に結合される。センサコントローラ５０８は、通信チャネル５０６を介して第１のＬＥＤ１０２及び第２のＬＥＤ１１４に結合される。光源コントローラ５０４は、センサコントローラ５０８から、第１のＬＥＤ１０２のカラーポイント、第２のＬＥＤ１１４のカラーポイント及び第１のＬＥＤ１０２により放射される最大光束と第２のＬＥＤ１１４により放射される最大光束との間の比率を少なくとも有するＬＥＤの特性を受信する。光源コントローラ５０４は、色調整可能なランプ５００の周囲へ放射される光のための所望の色を示すユーザー入力４２２を受信する。光源コントローラ５０４は、ユーザー入力４２２に基づいて、光エミッタの受信した特性に基づいて、第１のＬＥＤ１０２及び第２のＬＥＤ１１４へ通信チャネル５０２を介して供給される２つの信号を生成する。
【００９７】
実施例において、色調整可能な装置５００がスイッチオンされるとき、すなわち色調整可能な装置５００が動作モードに切り換わるとき、第１のＬＥＤ１０２の特性及び第２のＬＥＤ１１４の特性が決定される。第１のＬＥＤ１０２及び第２のＬＥＤ１１４の特性の決定が比較的速く実施され、例えば、第１のＬＥＤ１０２は２０ｍｓでスイッチオンにされ、この間に第１のカラーポイントが測定され、その後、第２のＬＥＤ１１４が２０ｍｓでスイッチオンにされ、この間に第２のカラーポイントが測定され、第１のＬＥＤ１０２及び第２のＬＥＤ１１４は２０ｍｓで同時にスイッチオンにされ、この間に第３のカラーポイントが測定される。ＬＥＤ１０２、１１４が斯様な短い期間の間オンにされるとき、ユーザは非常に短いフラッシュを経験するが、色調整可能なランプの通常の使用は制限されない。他の実施例では、例えば、色調整可能なランプ５００が動作モードでないとき、すなわち色調整可能なランプ５００がスイッチオフのときの期間の間、第１のＬＥＤ１０２及び第２のＬＥＤ１１４の特性が格納されるメモリを光源コントローラ５０４は有する。斯様な場合において、色調整可能な装置５００が動作モードに切り換えられるたびに、第１のＬＥＤ１０２及び第２のＬＥＤ１１４の特性が決定される必要はない。しかしながら、第１のＬＥＤ１０２及び／又は第２のＬＥＤ１１４のあり得る劣化のため、規則的時間間隔、例えば月ごとに、又は、例えば事前に決められた動作時間の後に、特性の決定を実施することがアドバイスされる。
【００９８】
図６は、本発明の第４の態様による照明器具６００を模式的に示す。照明器具６００は、本発明の第３の態様による色調整可能なランプ６０２を有する。
【００９９】
図７は、本発明の第５の態様による方法のフロー図７００を模式的に示す。ステップ７０４において、第１の信号が光源へ供給される。第１の信号は調光ファクタＤ１及び調光ファクタＤ２を有する。調光ファクタＤ１及び調光ファクタＤ２は、第１の光エミッタ及び第２の光エミッタの最大光強度に対する割合をそれぞれ示している。ステップ７０４において、光源が第１の信号に従って光を放射するとき、第１のカラーポイントを表わす測定信号が受信される。ステップ７０６において、調光ファクタＤ４及び調光ファクタＤ５を有する第２の信号が光源へ供給される。調光ファクタＤ４及び調光ファクタＤ５は、第１の光エミッタ及び第２の光エミッタの最大光強度に対する割合をそれぞれ示している。ステップ７０６において、光源が第２の信号に従って光を放射するとき、第２のカラーポイントを表わす測定信号が受信される。ステップ７０８において、第１の光エミッタの最大光束と第２の光エミッタの最大光束との間の比率は、第１のカラーポイント、第２のカラーポイント、調光ファクタＤ１、Ｄ２、Ｄ４及びＤ５に基づいて色空間モデル内で計算される。
【０１００】
ステップ７０４及び７０６が他の順番で実施されてもよい点に留意されたい。しかしながら、ステップ７０８は、ステップ７０４及び７０６両方を実施した後にだけ実施できる。
【０１０１】
本発明は、また、本発明を実行するために調整されたプログラム、特に媒体に含まれるコンピュータプログラムまで及ぶことは理解されるだろう。プログラムは、ソースコード形式、オブジェクトコード形式、部分的にコンパイルされた形式のようなコード中間ソース及びオブジェクトコードの形式、又は、本発明による方法の実行における使用に適している任意の他の形式でもよい。斯様なプログラムは、多くの種々異なるアーキテクチャデザインを持つことは理解されるだろう。例えば、本発明による方法又はシステムの機能を実行するプログラムコードは、一つ以上のサブルーチンに再分割されてもよい。これらのサブルーチンに機能を分散する多くの異なるやり方は、当業者に理解されるだろう。サブルーチンは、自己充足的なプログラムを形成するために、１つの実行可能ファイルに一緒に保存されてもよい。斯様な実行可能ファイルは、コンピュータ実行可能な命令、例えばプロセッサ命令及び／又はインタプリタ命令（例えばＪａｖａ（登録商標）インタプリタ命令）を有する。代わりに、一つ以上又は全てのサブルーチンは、少なくとも一つの外部ライブラリファイルに保存され、静的に又は動的に例えば実行時に、メインプログラムとリンクされてもよい。メインプログラムは、サブルーチンの少なくとも１つへの少なくとも一つのコールを含む。また、サブルーチンは、互いにコールする機能を含んでもよい。コンピュータプログラムに関する実施例は、説明された方法の少なくとも１つの方法の処理ステップの各々に対応するコンピュータ実行可能な命令を有する。これらの命令は、サブルーチンに再分割され、及び／又は静的に若しくは動的にリンクされる一つ以上のファイルに保存される。コンピュータプログラムに関する他の実施例は、説明されたシステム及び／又は製品の少なくとも１つのシステム及び／又は製品の手段各々に対応するコンピュータ実行可能な命令を有する。これらの命令は、サブルーチンに再分割され、及び／又は静的に若しくは動的にリンクされる一つ以上のファイルに保存される。
【０１０２】
コンピュータプログラムの媒体は、プログラムを坦持できる任意のエンティティ又は装置である。例えば、媒体は、ＲＯＭ、例えばＣＤ―ＲＯＭ若しくは半導体ＲＯＭ、又は磁気記録媒体、例えばフロッピー（登録商標）ディスク若しくはハードディスクのような記憶媒体を含む。更に、媒体は、電気ケーブル若しくは光ケーブルを介して、無線を介して、又は他の手段により伝達される電気信号又は光信号のような送信可能な媒体でもよい。プログラムが斯様な信号で具現化されるとき、媒体は、ケーブル、他の装置又は他の手段により構成されてもよい。代わりに、媒体は、関連した方法を実施する又は実施のための使用に適したプログラムが埋め込まれた集積回路でもよい。
【０１０３】
上述の実施例は本発明を限定するというよりはむしろ例示していて、当業者は添付の請求の範囲の要旨を逸脱しない範囲で多くの代わりの実施例を設計可能であることに留意されたい。
【０１０４】
請求項において、括弧内の何れの参照符号も、請求項を限定するものとして解釈されない。動詞「有する」の使用は、請求項に述べられている以外の要素又はステップの存在を除外しない。要素に先行する冠詞「ａ」又は「ａｎ」は、複数の要素の存在を除外しない。本発明は、幾つかの異なる要素を有するハードウェアによって、また、最適にプログラムされたコンピュータによって実行されてもよい。幾つかの手段を列挙している装置の請求項において、これらの手段の幾つかは、ハードウェアの全く同一の部材により実施されてもよい。特定の手段が相互に異なる従属請求項において再引用されるという単なる事実は、これらの手段の組合せが効果的に使用できないことを示さない。
【図１】
2013536406.tif 000022
【図２ａ】
2013536406.tif 000023
【図２ｂ】
2013536406.tif 000024
【図３】
2013536406.tif 000025
【図４】
2013536406.tif 000026
【図５】
2013536406.tif 000027
【図６】
2013536406.tif 000028
【図７】
2013536406.tif 000029
【国際調査報告】
2013536406.tif 000030
2013536406.tif 000031